(57)【要約】【課題】エンベロープ・トラッキングを用いつつ、電力損失の低減を図った電源回路及びこれを用いた無線通信回路を提供することを課題とする。【解決手段】  交流結合素子を有する出力回路を含み、前記出力回路の出力を駆動電圧としてアンプに供給する電源回路であって、搬送波からエンベロープ信号を抽出するエンベロープ信号抽出部と、前記エンベロープ信号が前記出力回路に入力された場合に生じる揺らぎ成分を含ませた模擬信号を生成する模擬信号波形生成部と、前記模擬信号に含まれる揺らぎ成分を抽出する揺らぎ成分抽出部と、前記揺らぎ成分を位相反転させた反転成分を生成する反転成分生成部とを含み、前記反転成分を用いて前記出力回路で生じる揺らぎ成分を相殺する。【選択図】図２
2010213227.tif 000002
【特許請求の範囲】
【請求項１】
交流結合素子を有する出力回路を含み、前記出力回路の出力を駆動電圧としてアンプに供給する電源回路であって、
搬送波からエンベロープ信号を抽出するエンベロープ信号抽出部と、
前記エンベロープ信号が前記出力回路に入力された場合に生じる揺らぎ成分を含ませた模擬信号を生成する模擬信号波形生成部と、
前記模擬信号に含まれる揺らぎ成分を抽出する揺らぎ成分抽出部と、
前記揺らぎ成分を位相反転させた反転成分を生成する反転成分生成部と
を含み、前記反転成分を用いて前記出力回路で生じる揺らぎ成分を相殺する、電源回路。
【請求項２】
前記疑似信号からピーク成分を抽出するピーク成分抽出部と、
前記ピーク成分抽出部で抽出された前記ピーク成分を増幅する増幅部と、
前記反転成分を変圧する変圧部と
をさらに含み、
前記出力回路は、前記増幅部で増幅されたピーク成分と、前記変圧部で変圧された反転成分を加算する回路であり、前記増幅部における増幅率と前記変圧部における変圧率は等しくされる、請求項１に記載の電源回路。
【請求項３】
前記疑似信号からピーク成分を抽出するピーク成分抽出部と、
前記ピーク波抽出部及び前記反転成分生成部の出力を加算する加算部と、
前記加算部の出力を増幅する増幅部と、
前記駆動電圧に含まれる直流成分を出力する直流成分出力部と
をさらに含み、
前記出力回路は、前記増幅部の出力と、前記直流成分出力部から出力される直流成分を加算する回路である、請求項１に記載の電源回路。
【請求項４】
前記アンプに供給される駆動電圧を検出する駆動電圧検出部と、
前記駆動電圧検出部によって検出される駆動電圧が、前記エンベロープ信号出力部から出力されるエンベロープ信号に相似するように前記駆動電圧を調整する調整部と
をさらに含む、請求項１乃至３のいずれか一項に記載の電源回路。
【請求項５】
請求項１乃至４のいずれか一項に記載の電源回路から前記駆動電圧が印加され、前記エンベロープ信号に同期した信号を出力する最終段アンプを含む、無線通信回路。
【発明の詳細な説明】
【技術分野】
【０００１】
エンベロープ・トラッキング方式を用いた電源回路及びこれを用いた無線通信回路に関する。
【背景技術】
【０００２】
無線通信装置には、常に一定の電圧を出力する電源回路を含むものと、経時的に変化する電圧を出力する電源回路を含むものがある。
【０００３】
電源回路の消費電力の抑制は、無線通信装置の低消費電力化に繋がるため、電源回路内における電力損失を抑制するための種々の改良が行われている。
【０００４】
例えば、階段状の電圧を出力する電源回路では、増幅器の駆動電圧を増幅器の入力信号の振幅に同期させて階段状に変化させることで、増幅器における電力損失を抑制している。電源回路に含まれる素子の中では、増幅器の電力消費が比較的大きいため、増幅器における電力損失の低減は、電源回路を含む無線通信装置の低電力化に有効的である。
【特許文献１】特開２００８−１７８２２６号公報
【発明の開示】
【発明が解決しようとする課題】
【０００５】
ところで、電源回路の消費電力を抑制するために、エンベロープ信号を用いたトラッキングを行う手法が提案されている。
【０００６】
エンベロープ・トラッキングを用いた電源回路として、例えば、エンベロープ信号の変調成分を生成する増幅器を含む回路がある。エンベロープ信号は、約数１０ＭＨｚと帯域が高いため、高速動作の可能な増幅器を用いる必要がある。
【０００７】
図１は、従来のエンベロープ・トラッキングを用いた電源回路を含む無線通信回路を示す図である。
【０００８】
従来のエンベロープ・トラッキングを用いた電源回路は、ＲＦ（Radio Frequency：高周波）アンプ１及びエンベロープ信号出力部２を含む。また、この電源回路を含む無線通信回路は、無線通信装置の最終段となる送信アンプ３と、送信アンプ３に入力するための主信号を出力する主信号出力部４とを含む。送信アンプ３には、アンテナ５が接続されている。
【０００９】
エンベロープ信号出力部２から出力されるエンベロープ信号は、ＲＦアンプ１で増幅され、エンベロープ信号に相似した波形を有する駆動電圧として送信アンプ３に供給される。
【００１０】
送信アンプ３は、主信号出力部４から主信号が入力され、ＲＦアンプ１から供給される駆動電圧によって駆動され、エンベロープ信号に同期した無線通信信号を出力する。
【００１１】
主信号出力部４は、送信アンプ３を介して送信する主信号を出力する回路である。この主信号は、例えば、無線通信装置が携帯電話の基地局である場合は、基地局の通信エリア内にある携帯電話と通信を行う音声信号及び画像信号等を表す信号である。
【００１２】
図１に示す無線通信回路では、主信号に応じた駆動電圧を送信アンプ３に印加することが可能になるため、送信アンプ３の電力損失を抑えることが可能となる。
【００１３】
しかしながら、この無線通信回路では、送信アンプ３の駆動電圧を生成するＲＦアンプ１で電力損失が発生する。ＲＦアンプ１では、駆動電圧と出力電圧の差が電力損失に結びつくため、図１に示す無線通信回路でエンベロープ・トラッキングを行って送信アンプ３の電力損失を低減しても、ＲＦアンプ１における電力損失が増大するため、回路全体での電力損失を低減することは実現されていなかった。
【００１４】
そこで、エンベロープ・トラッキングを用いつつ、電力損失の低減を図った電源回路及びこれを用いた無線通信回路を提供することを目的とする。
【課題を解決するための手段】
【００１５】
本発明の実施の形態の一観点の電源回路は、交流結合素子を有する出力回路を含み、前記出力回路の出力を駆動電圧としてアンプに供給する電源回路であって、搬送波からエンベロープ信号を抽出するエンベロープ信号抽出部と、前記エンベロープ信号が前記出力回路に入力された場合に生じる揺らぎ成分を含ませた模擬信号を生成する模擬信号波形生成部と、前記模擬信号に含まれる揺らぎ成分を抽出する揺らぎ成分抽出部と、前記揺らぎ成分を位相反転させた反転成分を生成する反転成分生成部とを含み、前記反転成分を用いて前記出力回路で生じる揺らぎ成分を相殺する。
【発明の効果】
【００１６】
エンベロープ・トラッキングを用いつつ、電力損失の低減を図った電源回路及びこれを用いた無線通信回路を提供できる。
【発明を実施するための最良の形態】
【００１７】
以下、本発明の電源回路及びこれを用いた無線通信回路を適用した実施の形態について説明する。
【００１８】
［実施の形態１］
図２は、実施の形態１の電源回路及びこれを用いた無線通信回路の回路構成を示す図である。
【００１９】
実施の形態１の電源回路は、エンベロープ信号出力部１０、エンベロープ信号処理部２０、ＤＣ／ＤＣコンバータ３０、ＲＦアンプ４０、及び加算回路５０を含む。
【００２０】
また、実施の形態１の電源回路を用いた無線通信回路は、エンベロープ信号出力部１０、エンベロープ信号処理部２０、ＤＣ／ＤＣコンバータ３０、ＲＦアンプ４０、及び加算回路５０に加えて、無線通信装置の最終段となる送信アンプ６０、及び、送信アンプ６０に入力するための主信号を出力する主信号出力部７０を含む。送信アンプ６０には、アンテナ８０が接続される。
【００２１】
エンベロープ信号出力部１０は、無線通信用の搬送波からエンベロープ信号を抽出して出力する。このエンベロープ信号は、搬送波を半波整流することによって抽出される。
【００２２】
エンベロープ信号処理部２０は、ＤＦ（Digital filter：デジタルフィルタ）２１、ローパスフィルタ（以下、ＬＰＦ（Low Pass Filter））２２、反転処理部２３、及びハイパスフィルタ（以下、ＨＰＦ（High Pass Filter））２４を有する。
【００２３】
ＤＦ２１は、エンベロープ信号が交流結合によって揺らぎ成分（変動成分）を含んだ場合の波形を有する模擬信号を生成するデジタルフィルタである。ＤＦ２１が生成する揺らぎ成分は、エンベロープ信号が加算回路５０に直接入力された場合に生じる揺らぎ成分に相当するようにされている。この模擬信号の波形については後述する。
【００２４】
ＬＰＦ２２は、ＤＦ２１から出力される信号のうちの揺らぎ成分を抽出して出力する。このＬＰＦ２２としては、例えば、入力端子に並列に接続されるコンデンサと入力端子に直列に接続される抵抗器を含むアナログ型のフィルタを用いることができる。ＬＰＦ２２のカットオフ周波数は、ＤＦ２１から出力される信号のうち高周波成分であるピーク成分を除去し、低周波成分である揺らぎ成分のみを透過できるように設定されている。
【００２５】
反転処理部２３は、ＬＰＦ２２から出力される揺らぎ成分を位相反転させた反転成分を反転信号として出力する。この反転処理部２３としては、例えば、非反転入力端子が接地された負帰還型のオペアンプを用いることができる。
【００２６】
ＨＰＦ２４は、ＤＦ２１から出力される信号のうちの揺らぎ成分を除去し、ピーク成分を抽出して出力する。このＨＰＦ２４としては、例えば、入力端子に並列に接続される抵抗器と入力端子に直列に接続されるコンデンサを含むアナログ型のフィルタを用いることができる。ＨＰＦ２４のカットオフ周波数は、ＤＦ２１から出力される信号のうち低周波成分である揺らぎ成分を除去し、高周波成分であるピーク成分のみを透過できるように設定されている。
【００２７】
ＤＣ／ＤＣコンバータ３０は、反転処理部２３から出力される反転信号を変圧して出力する。このＤＣ／ＤＣコンバータ３０での変圧は増圧であり、反転信号の増圧と、増圧された反転信号に直流電圧を重畳する増圧との２段階の変圧を含む。なお、反転信号の変圧率（増圧率）は、ＲＦアンプ４０の増幅率と同一になるように設定されている。
【００２８】
ＲＦアンプ４０は、ＨＰＦ２４から入力されるピーク成分を増幅して出力する。なお、既述のように、ＲＦアンプ４０の増幅率は、ＤＣ／ＤＣコンバータ３０における反転信号の変圧率（増圧率）と同一になるように設定されている。
【００２９】
加算回路５０は、ＤＣ／ＤＣコンバータ３０の出力側に配設されるコイル５１と、ＲＦアンプ４０の出力側に配設されるコンデンサ５２とを有し、送信アンプ６０に供給するための駆動電圧を出力する出力回路である。加算回路５０は、ＤＣ／ＤＣコンバータ３０から入力される電圧と、ＲＦアンプ４０で増幅されたピーク成分とを加算して送信アンプ６０の駆動電圧として出力する。
【００３０】
コイル５１は、ＲＦアンプ４０から入力されるピーク成分がＤＣ／ＤＣコンバータ３０に伝達されるのを防ぎ、コイル５２は、ＤＣ／ＤＣコンバータ３０から入力される電圧がＲＦアンプ４０に伝達されるのを防ぐために配設されている。
【００３１】
主信号出力部７０は、送信アンプ６０を介して送信する主信号を出力する回路である。この主信号は、例えば、無線通信装置が携帯電話の基地局である場合は、基地局の通信エリア内にある携帯電話と通信を行う音声信号及び画像信号等を表す信号である。
【００３２】
送信アンプ６０は、無線通信用の最終段のアンプであり、主信号出力部７０から主信号が入力されるとともに、加算回路５０から出力される駆動電圧が印加され、エンベロープ信号に同期した無線通信信号を出力する。出力された無線通信信号は、アンテナ８０から出力される。
【００３３】
なお、実施の形態１の電源回路及びこれを用いた無線通信回路を含む無線通信装置が携帯電話の基地局である場合は、アンテナ８０から基地局の通信エリア内にある携帯電話に主信号を含む無線信号が送信される。
【００３４】
図３は、実施の形態１の電源回路及びこれを含む無線通信回路におけるエンベロープ信号と駆動電圧の波形を示す図であり、（ａ）はエンベロープ信号出力部１０から出力されるエンベロープ信号、（ｂ）は反転処理部２３を含まない場合に加算回路５０から出力される駆動電圧、（ｃ）はＤＦ２１から出力される模擬信号、（ｄ）はＬＰＦ２２の出力と反転処理部２３で位相反転される揺らぎ成分、（ｅ）はＨＰＦ２４の出力、（ｆ）はＤＣ／ＤＣコンバータ３０の出力、（ｇ）は反転処理部２３を含む場合に加算回路５０から出力される駆動電圧を示す図である。なお、この図３（ａ）〜（ｇ）において、横軸は時間を表し、縦軸は信号レベル（電圧値）を表す。
【００３５】
図３（ａ）に示すように、エンベロープ信号出力部１０から出力されるエンベロープ信号は、搬送波を半波整流した波形を有する。
【００３６】
エンベロープ信号出力部１０から出力されるエンベロープ信号は、エンベロープ信号処理部２０に入力され、ＤＦ２１で揺らぎを含む模擬信号（図３（ｃ））にデジタル変換される。この模擬信号は、図３（ｃ）に示すように、エンベロープ信号が加算回路に入力された場合に生じる揺らぎ成分を含む波形を有する。模擬信号に含まれる揺らぎ成分は、エンベロープ信号が加算回路５０に直接入力された場合に生じる揺らぎ成分に相当する。
【００３７】
ＬＰＦ２２は、ＤＦ２１から出力される模擬信号から低周波成分である揺らぎ成分を抽出する。この揺らぎ成分は、図３（ｄ）に実線で示すように、模擬信号からピーク成分を除去した波形を有する。
【００３８】
反転処理部２３は、ＬＰＦ２２から出力される揺らぎ成分を位相反転して出力する。位相が反転された反転信号は、図３（ｄ）に破線で示すように揺らぎ成分とは逆位相の波形となる。
【００３９】
ＨＰＦ２４は、ＤＦ２１から出力される模擬信号から高周波成分であるピーク成分を抽出する。抽出されたピーク成分は、図３（ｅ）に示す波形となる。
【００４０】
ＤＣ／ＤＣコンバータ３０は、反転処理部２３から出力される反転信号を上述した所定の変圧比で増圧するとともに、所定の直流電圧を重畳して出力する。出力される電圧は、図３（ｆ）に示すように、反転信号の振幅が増大されるとともに、直流成分が付加された波形となる。なお、上述のように、ＤＣ／ＤＣコンバータ３０の変圧比（増圧比）は、ＲＦアンプ４０の増幅率と等しくなるように設定されている。
【００４１】
ここで、ＲＦアンプ４０の出力側には、コンデンサ５２が接続されており、ＲＦアンプ４０と送信アンプ６０は交流結合されているため、反転処理部２３を含まずにＬＰＦ２２の出力がＤＣ／ＤＣコンバータ３０に直接入力されてしまうと、図３（ｂ）に示すように、駆動電圧の基本波成分には、揺らぎ（揺らぎ成分）が生じる。
【００４２】
しかしながら、実施の形態１の電源回路及びこれを用いた無線通信回路では、図３（ｄ）に破線で示すように、反転処理部２３が揺らぎ成分の位相を反転させた反転信号を出力する。
【００４３】
そして、ＤＣ／ＤＣコンバータ３０では、反転信号をＲＦアンプ４０の増幅率と等しい変圧比で増圧するとともに、直流成分を重畳して図３（ｆ）に示す波形で表される電圧信号として出力する。
【００４４】
さらに、加算回路５０において、ＤＣ／ＤＣコンバータ３０の出力とＲＦアンプ４０の出力が加算される際に、ＤＣ／ＤＣコンバータ３０の出力に含まれる反転信号が加算回路５０で生じる揺らぎ成分と相殺される。
【００４５】
これにより、加算回路５０の出力は、変動成分が相殺され、ＲＦアンプ４０で増幅されたピーク成分と、ＤＣ／ＤＣコンバータ３０で付加された直流成分とが加算された信号が出力される。この信号は、図３（ｇ）に示すように、エンベロープ信号１０から出力されるエンベロープ信号を相似形状に増幅した波形となる。
【００４６】
このように、実施の形態１の電源回路及びこれを用いた無線通信回路では、加算回路５０で生じる揺らぎ成分を相殺することができる。そして、加算回路５０から出力される駆動電圧の波形（図３（ｇ））は、ＤＣ／ＤＣコンバータ３０における増圧率とＲＦアンプ４０の増幅率とを等しくしていることから、エンベロープ信号出力部１０から出力されるエンベロープ信号の波形（図３（ａ））の相似形となる。
【００４７】
このため、送信アンプ６０には、エンベロープ信号と相似波形で増幅された駆動電圧が供給されるので、送信アンプ６０では、主信号が正確にエンベロープ・トラッキングされ、エンベロープ信号に同期した無線通信信号を出力することができる。
【００４８】
以上、実施の形態１によれば、エンベロープ信号を増幅する過程で生じる揺らぎ成分（変動成分）を除去し、また、送信アンプ６０に供給する駆動電圧のうちの直流電圧成分は、ＤＣ／ＤＣコンバータ３０における変圧過程で重畳される。このため、エンベロープ信号出力部１０から出力されるエンベロープ信号を正確に相似形状に増幅した駆動電圧を送信アンプ６０に供給できるので、エンベロープ・トラッキングを用いつつ、電力損失の低減を図った電源回路及びこれを用いた無線通信回路を提供することができる。
【００４９】
なお、以上では、エンベロープ信号処理部２０がアナログ回路である形態について説明したが、エンベロープ信号処理部２０はデジタル回路であってもよい。この場合は、ＬＰＦ２２、反転処理部２３、及びＨＰＦ２４をデジタル回路で構成すればよい。
【００５０】
また、以上では、加算回路５０としてコイル５１及びコンデンサ５２を含む回路を示したが、加算回路５０は、コイル５１及びコンデンサ５２を含む形態には限られない。
【００５１】
図４は、実施の形態１の変形例による電源回路及びこれを用いた無線通信回路の回路構成を示す図である。この変形例では、加算回路５０は、コイル５１及びコンデンサ５２を含まず、ブロックとして表されている点が図２の回路構成と異なる。
【００５２】
変形例における加算回路５０としては、例えば、図２におけるコイル５１及びコンデンサ５２の代わりに、ＤＣ／ＤＣコンバータ３０とＲＦアンプ４０の各々の出力端に配設される整流ダイオードを含んでもよい。
【００５３】
ＤＣ／ＤＣコンバータ３０とＲＦアンプ４０の各々の出力端に配設される整流ダイオードによっても、ＲＦアンプ４０から入力されるエンベロープ信号のピーク成分がＤＣ／ＤＣコンバータ３０に伝達されるのを防ぎ、かつ、ＤＣ／ＤＣコンバータ３０から入力される電圧がＲＦアンプ４０に伝達されるのを防ぐことができる。
【００５４】
整流ダイオードで実現される加算回路５０において、ＤＣ／ＤＣコンバータ３０の出力とＲＦアンプ４０の出力が加算される際に、ＤＣ／ＤＣコンバータ３０の出力に含まれる反転信号が加算回路５０で生じる揺らぎ成分と相殺される。
【００５５】
これにより、加算回路５０の出力は、変動成分が相殺され、ＲＦアンプ４０で増幅されたピーク成分と、ＤＣ／ＤＣコンバータ３０で付加された直流成分とが加算された信号が出力される。この信号は、エンベロープ信号１０から出力されるエンベロープ信号を相似形状に増幅した波形となる。
【００５６】
これにより、送信アンプ６０には、エンベロープ信号と相似波形で増幅された駆動電圧が供給されるので、送信アンプ６０では、主信号が正確にエンベロープ・トラッキングされ、エンベロープ信号に同期した無線通信信号を出力することができる。
【００５７】
なお、加算回路５０として整流ダイオードを用いる場合は、コイル５１及びコンデンサ５２を用いる場合と同様に、変動成分の周波数が比較的高くても伝達を防ぐことができる。
【００５８】
［実施の形態２］
図５は、実施の形態２の電源回路及びこれを用いた無線通信回路の回路構成を示す図である。実施の形態２の電源回路及びこれを用いた無線通信回路は、エンベロープ信号処理部２０が加算回路部２５を含む点と、反転処理部２３の出力が加算回路部２５に入力され、ＤＣ／ＤＣコンバータ３０に入力されない点が実施の形態１と異なる。その他の構成要素は、実施の形態１と同一であるため、同一の構成要素には同一符号を付し、その説明を省略する。
【００５９】
実施の形態２の電源回路及びこれを用いた無線通信回路では、反転処理部２３から出力される反転信号は、加算回路部２５において、ＨＰＦ２４から出力されるエンベロープ信号のピーク成分と加算される。このため、加算回路部２５でからは、エンベロープ信号と反転信号が加算された電圧信号が出力される。エンベロープ信号と反転信号が加算された電圧信号は、ＲＦアンプ４０で増幅され、加算回路５０に入力される。
【００６０】
なお、実施の形態２におけるＤＣ／ＤＣコンバータ３０は、実施の形態１のＤＣ／ＤＣコンバータ３０とは異なり、反転成分の変圧は行わず、直流電圧を変圧（増圧）して出力するだけである。このため、ＤＣ／ＤＣコンバータ３０の変圧比とＲＦアンプ４０の増幅率は等しく設定される必要はない。また、実施の形態２で示すＤＣ／ＤＣコンバータ３０の代わりに、単に直流電圧を出力する回路を用いてもよい。
【００６１】
実施の形態２の電源回路の加算回路５０では、ＤＣ／ＤＣコンバータ３０から入力される直流電圧に、ＲＦアンプ４０から出力されるエンベロープ信号と反転信号が加算された電圧信号が加算されて出力される。このとき、コンデンサ５２の交流結合により揺らぎ成分が生じるが、この揺らぎ成分は、加算回路５０の出力に含まれる反転信号によって相殺される。このため、実施の形態２の電源回路及びこれを用いた無線通信回路においても、加算回路５０の出力には揺らぎ成分は含まれず、実施の形態１において図３（ｇ）に示した駆動電圧と同様に、エンベロープ信号出力部１０から出力されるエンベロープ信号の波形（図３（ａ）参照）の相似形の波形を有する駆動電圧が出力される。
【００６２】
このため、送信アンプ６０には、エンベロープ信号と相似形の波形を有する駆動電圧が供給されるので、送信アンプ６０では、主信号がエンベロープ・トラッキングされ、エンベロープ信号に同期した無線通信信号が出力される。
【００６３】
以上、実施の形態２によれば、エンベロープ信号を増幅する過程で生じる基本波の変動成分を除去し、また、送信アンプ６０に供給する駆動電圧のうちの直流電圧成分は、ＤＣ／ＤＣコンバータ３０から供給されるので、エンベロープ・トラッキングを用いつつ、電力損失の低減を図った電源回路及びこれを用いた無線通信回路を提供することができる。
【００６４】
また、以上では、加算回路５０としてコイル５１及びコンデンサ５２を含む回路を示したが、加算回路５０は、コイル５１及びコンデンサ５２を含む形態には限られない。
【００６５】
図６は、実施の形態２の変形例による電源回路及びこれを用いた無線通信回路の回路構成を示す図である。この変形例では、加算回路５０は、コイル５１及びコンデンサ５２を含まず、ブロックとして表されている点が図５の回路構成と異なる。図５に示す加算回路５０は、実施の形態１の変形例として示した図２の加算回路５０と同一のものであり、図５におけるコイル５１及びコンデンサ５２の代わりに、ＤＣ／ＤＣコンバータ３０とＲＦアンプ４０の各々の出力端に配設される整流ダイオードを含んでもよい。
【００６６】
［実施の形態３］
図７は、実施の形態３の電源回路及びこれを用いた無線通信回路の回路構成を示す図である。実施の形態３の電源回路及びこれを用いた無線通信回路は、加算回路５０から出力される駆動電圧を検出する出力電圧検出部９０を含み、出力電圧検出部９０で検出される駆動電圧を用いてエンベロープ信号処理部２０がフィードバック制御を行い、ＤＣ／ＤＣコンバータ３０の変圧率、及びＲＦアンプ４０の増幅率を制御する点が実施の形態１と異なる。その他の構成要素は、実施の形態１と同一であるため、同一の構成要素には同一符号を付し、その説明を省略する。
【００６７】
上述のように、出力電圧検出部９０は、加算回路５０から出力される駆動電圧を検出し、検出された駆動電圧はエンベロープ信号処理部２０に入力される。
【００６８】
エンベロープ信号処理部２０は、出力電圧検出部９０から入力される駆動電圧と、エンベロープ信号出力部１０から入力されるエンベロープ信号の差分を導出し、この差分がなくなるように（すなわち、エンベロープ信号出力部から出力されるエンベロープ信号に相似するように）、ＤＣ／ＤＣコンバータ３０の変圧率、及びＲＦアンプ４０の増幅率を制御する。
【００６９】
なお、駆動電圧は、エンベロープ信号出力部１０から出力されるエンベロープ信号と相似形の波形を有するが、駆動電圧には、ＤＣ／ＤＣコンバータ３０から出力される直流電圧が含まれるとともに、ＲＦアンプ４０で増幅されたピーク成分が含まれている。
【００７０】
このため、エンベロープ信号処理部２０で差分を導出する際には、直流電圧分の差し戻し、及びピーク成分の増幅分の割り戻しを行う必要がある。差分の導出には、例えば、オペアンプを用いればよい。
【００７１】
以上、実施の形態３によれば、エンベロープ信号を増幅する過程で生じる基本波の変動成分を除去し、また、送信アンプ６０に供給する駆動電圧のうちの直流電圧成分は、ＤＣ／ＤＣコンバータ３０から供給されるので、エンベロープ・トラッキングを用いつつ、電力損失の低減を図った電源回路及びこれを用いた無線通信回路を提供することができる。
【００７２】
また、加算回路５０から出力される駆動電圧を検出する出力電圧検出部９０を含み、出力電圧検出部９０で検出される駆動電圧を用いてエンベロープ信号処理部２０がフィードバック制御を行い、ＤＣ／ＤＣコンバータ３０における変圧率、及びＲＦアンプ４０における増幅率を制御する。
【００７３】
このため、駆動電圧に初期バラツキやドリフトが生じたとしても、フィードバック制御によりひずみを補正することができるので、エンベロープ・トラッキングの精度を向上させることができる。
【００７４】
また、以上では、加算回路５０としてコイル５１及びコンデンサ５２を含む回路を示したが、加算回路５０は、コイル５１及びコンデンサ５２を含む形態には限られない。
【００７５】
図８は、実施の形態３の変形例による電源回路及びこれを用いた無線通信回路の回路構成を示す図である。この変形例では、加算回路５０は、コイル５１及びコンデンサ５２を含まず、ブロックとして表されている点が図７の回路構成と異なる。図７に示す加算回路５０は、実施の形態１の変形例として示した図２の加算回路５０と同一のものであり、図５におけるコイル５１及びコンデンサ５２の代わりに、ＤＣ／ＤＣコンバータ３０とＲＦアンプ４０の各々の出力端に配設される整流ダイオードを含んでもよい。
【００７６】
また、以上では、実施の形態３の電源回路及びこれを含む無線通信回路として、図７に示すように、実施の形態１の電源回路及びこれを含む無線通信回路（図２）に出力電圧検出部９０を付加してフィードバック制御により駆動電圧のひずみを補正する形態、及び、図８に示すように、実施の形態１の変形例の電源回路及びこれを含む無線通信回路（図４）に出力電圧検出部９０を付加してフィードバック制御により駆動電圧のひずみを補正する形態について説明した。
【００７７】
しかしながら、実施の形態３のフィードバック制御は、実施の形態２として図５及び図６に示した電源回路及びこれを含む無線通信回路に出力電圧検出部９０を付加することによって実現することもできる。
【００７８】
以上、本発明の例示的な実施の形態の電源回路及びこれを含む無線通信回路について説明したが、本発明は、具体的に開示された実施の形態に限定されるものではなく、特許請求の範囲から逸脱することなく、種々の変形や変更が可能である。
【図面の簡単な説明】
【００７９】
【図１】従来のエンベロープ・トラッキングを用いた電源回路を含む無線通信回路を示す図である。
【図２】実施の形態１の電源回路及びこれを用いた無線通信回路の回路構成を示す図である。
【図３】実施の形態１の電源回路及びこれを含む無線通信回路におけるエンベロープ信号と駆動電圧の波形を示す図であり、（ａ）はエンベロープ信号出力部１０から出力されるエンベロープ信号、（ｂ）は反転処理部２３を含まない場合に加算回路５０から出力される駆動電圧、（ｃ）は反転処理部２３で位相反転される基本波成分、（ｄ）は反転処理部２３を含む場合に加算回路５０から出力される駆動電圧を示す図である。
【図４】実施の形態１の変形例による電源回路及びこれを用いた無線通信回路の回路構成を示す図である。
【図５】実施の形態２の電源回路及びこれを用いた無線通信回路の回路構成を示す図である。
【図６】実施の形態２の変形例による電源回路及びこれを用いた無線通信回路の回路構成を示す図である。
【図７】実施の形態３の電源回路及びこれを用いた無線通信回路の回路構成を示す図である。
【図８】実施の形態３の変形例による電源回路及びこれを用いた無線通信回路の回路構成を示す図である。
【符号の説明】
【００８０】
１０  エンベロープ信号出力部
２０  エンベロープ信号処理部
２１  ＤＦ
２２  ＬＰＦ
２３  反転処理部
２４  ＨＰＦ
２５  加算回路部
３０  ＤＣ／ＤＣコンバータ
４０  ＲＦアンプ
５０  加算回路
６０  送信アンプ
７０  主信号出力部
８０  アンテナ
９０  出力電圧検出部
【図１】
2010213227.tif 000003
【図２】
2010213227.tif 000004
【図３】
2010213227.tif 000005
【図４】
2010213227.tif 000006
【図５】
2010213227.tif 000007
【図６】
2010213227.tif 000008
【図７】
2010213227.tif 000009
【図８】
2010213227.tif 000010